【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
多段階工程における生産計画を作成する生産計画作成装置であって、
前記多段階工程の各工程において生産される生産品、前記生産品を生産する工程設備、及び前記生産品を生産するための工程設備における稼動条件に関する生産情報を記憶する生産情報記憶手段と、
生産品を生産するための工程設備における稼動条件及び前記稼動条件から遷移可能な稼動条件を記憶する稼動条件記憶手段と、
前記生産情報記憶手段に記憶された生産情報の当該工程設備における生産品を生産する前後の稼動条件に従って、当該生産品を生産するための工程設備における、前記稼動条件記憶手段に記憶された稼動条件あるいは遷移可能な稼動条件を用いて生産計画を作成する作成手段と、
を備えたことを特徴とする生産計画装置。
【請求項２】
前記工程設備及び前記稼動条件に対応して当該工程設備及び当該稼動条件で生産可能な少なくとも１種類以上の生産品を記憶する生産可能品記憶手段を備え、
前記作成手段は、前記生産情報記憶手段に記憶された生産情報の当該工程設備における生産品を生産する前後の稼動条件が定まっていない場合、当該生産品を生産するための工程設備における、前記生産可能品記憶手段に記憶された生産品の多い稼動条件を用いて生産計画を作成することを特徴とする請求項１に記載の生産計画装置。
【請求項３】
前記作成手段は、前記生産情報記憶手段に記憶された生産情報の当該工程設備における生産品を生産する前後の稼動条件及び当該生産品を生産するための工程設備における稼動条件が定まっていない場合、前記生産可能品記憶手段に記憶された生産品の多い稼動条件を用いて生産計画を作成することを特徴とする請求項２に記載の生産計画装置。
【請求項４】
前記作成手段は、前記生産情報記憶手段に記憶された生産情報の当該工程設備における生産品を生産する前後の何れの定められた稼動条件に従って、当該生産品を生産するための工程設備における、前記稼動条件記憶手段に記憶された稼動条件あるいは遷移可能な稼動条件を用いて生産計画を作成することを特徴とする請求項１乃至３の何れか１項に記載の生産計画装置。
【請求項５】
クライアント端末と生産計画作成装置とが、ネットワークを介して接続された生産計画作成システムであって、
前記クライアント端末は、
多段階工程における生産計画の作成指示を行うための指示手段と、
前記指示手段によって指示した生産計画の作成指示を送信するクライアント端末送信手段と、
生産計画作成装置送信手段によって送信された生産計画を受信するクライアント端末受信手段と、
前記クライアント端末受信手段によって受信した生産計画を表示部へ表示する表示手段と、
を備え、
前記生産計画作成装置は、
生産品を生産するための工程設備における稼動条件及び前記稼動条件から遷移可能な稼動条件を記憶する稼動条件記憶手段と、
前記クライアント端末送信手段によって送信された生産計画の作成指示を受信する生産計画作成装置受信手段と、
前記生産計画作成装置受信手段によって生産計画の作成指示を受信した後、前記多段階工程の各工程において生産される生産品、前記生産品を生産する工程設備、及び前記生産品を生産するための工程設備における稼動条件に関する生産情報を記憶する生産情報記憶手段と、
前記生産情報記憶手段で記憶された生産情報の当該工程設備における生産品を生産する前後の稼動条件に従って、当該生産品を生産するための工程設備における、前記稼動条件記憶手段に記憶された稼動条件あるいは遷移可能な稼動条件を用いて生産計画を作成する作成手段と、
前記作成手段によって作成した生産計画を前記クライアント端末に送信する生産計画作成装置送信手段と、
を備えたことを特徴とする生産計画作成システム。
【請求項６】
多段階工程における生産計画を作成する生産計画作成装置の制御方法であって、
前記生産計画作成装置は、
前記多段階工程の各工程において生産される生産品、前記生産品を生産する工程設備、及び前記生産品を生産するための工程設備における稼動条件に関する生産情報を記憶する生産情報記憶ステップと、
前記生産情報記憶ステップで記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼動条件を用いて生産計画を作成する作成ステップと、
を実行することを特徴とする生産計画装置の制御方法。
【請求項７】
多段階工程における生産計画を作成する生産計画作成装置において読取実行可能なプログラムであって、
前記生産計画作成装置を、
前記多段階工程の各工程において生産される生産品、前記生産品を生産する工程設備、及び前記生産品を生産するための工程設備における稼動条件に関する生産情報を記憶する生産情報記憶手段と、
前記生産情報記憶手段で記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼動条件を用いて生産計画を作成する作成手段と、
して機能させることを特徴とするプログラム。
【請求項８】
クライアント端末と生産計画作成装置とが、ネットワークを介して接続された生産計画作成システムの制御方法であって、
前記クライアント端末は、
多段階工程における生産計画の作成指示を行うための指示ステップと、
前記指示ステップによって指示した生産計画の作成指示を送信するクライアント端末送信ステップと、
生産計画作成装置送信ステップによって送信された生産計画を受信するクライアント端末受信ステップと、
前記クライアント端末受信ステップによって受信した生産計画を表示部へ表示する表示手段と、
を実行し、
前記生産計画作成装置は、
前記クライアント端末送信ステップによって送信された生産計画の作成指示を受信する生産計画作成装置受信ステップと、
生産計画作成装置受信ステップによって生産計画の作成指示を受信した後、前記多段階工程の各工程において生産される生産品、前記生産品を生産する工程設備、及び前記生産品を生産するための工程設備における稼動条件に関する生産情報を記憶する生産情報記憶ステップと、
前記生産情報記憶ステップで記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼条件を用いて生産計画を作成する作成ステップと、
を実行することを特徴とする生産計画作成システム。
【請求項９】
クライアント端末と生産計画作成装置とが、ネットワークを介して接続された生産計画作成システムにおいて読取実行可能なプログラムであって、
前記クライアント端末を、
多段階工程における生産計画の作成指示を行うための指示手段と、
前記指示手段によって指示した生産計画の作成指示を送信するクライアント端末送信手段と、
生産計画作成装置送信手段によって送信された生産計画を受信するクライアント端末受信手段と、
前記クライアント端末受信手段によって受信した生産計画を表示部へ表示する表示手段と、
して機能させ、
前記生産計画作成装置を、
前記クライアント端末送信手段によって送信された生産計画の作成指示を受信する生産計画作成装置受信手段と、
前記生産計画作成装置受信手段によって生産計画の作成指示を受信した後、前記多段階工程の各工程において生産される生産品、前記生産品を生産する工程設備、及び前記生産品を生産するための工程設備における稼動条件に関する生産情報を記憶する生産情報記憶手段と、
前記生産情報記憶手段で記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼動条件を用いて生産計画を作成する作成手段と、
前記作成手段によって作成した生産計画を前記クライアント端末に送信する生産計画作成装置送信手段と、
して機能させることを特徴とするプログラム。
【手続補正２】
【補正対象書類名】明細書
【補正対象項目名】００１２
【補正方法】変更
【補正の内容】
【００１２】
上記目的を達成するための第１の発明は、多段階工程における生産計画を作成する生産計画作成装置であって、前記多段階工程の各工程において生産される生産品、前記生産品を生産する工程設備、及び前記生産品を生産するための工程設備における稼動条件に関する生産情報を記憶する生産情報記憶手段と、生産品を生産するための工程設備における稼動条件及び前記稼動条件から遷移可能な稼動条件を記憶する稼動条件記憶手段と、前記生産情報記憶手段に記憶された生産情報の当該工程設備における生産品を生産する前後の稼動条件に従って、当該生産品を生産するための工程設備における、前記稼動条件記憶手段に記憶された稼動条件あるいは遷移可能な稼動条件を用いて生産計画を作成する作成手段と、を備えたことを特徴とする。
【手続補正３】
【補正対象書類名】明細書
【補正対象項目名】００１３
【補正方法】変更
【補正の内容】
【００１３】
上記目的を達成するための第２の発明は、クライアント端末と生産計画作成装置とが、ネットワークを介して接続された生産計画作成システムであって、前記クライアント端末は、多段階工程における生産計画の作成指示を行うための指示手段と、前記指示手段によって指示した生産計画の作成指示を送信するクライアント端末送信手段と、生産計画作成装置送信手段によって送信された生産計画を受信するクライアント端末受信手段と、前記クライアント端末受信手段によって受信した生産計画を表示部へ表示する表示手段と、を備え、前記生産計画作成装置は、生産品を生産するための工程設備における稼動条件及び前記稼動条件から遷移可能な稼動条件を記憶する稼動条件記憶手段と、前記クライアント端末送信手段によって送信された生産計画の作成指示を受信する生産計画作成装置受信手段と、前記生産計画作成装置受信手段によって生産計画の作成指示を受信した後、前記多段階工程の各工程において生産される生産品、前記生産品を生産する工程設備、及び前記生産品を生産するための工程設備における稼動条件に関する生産情報を記憶する生産情報記憶手段と、前記生産情報記憶手段で記憶された生産情報の当該工程設備における生産品を生産する前後の稼動条件に従って、当該生産品を生産するための工程設備における、前記稼動条件記憶手段に記憶された稼動条件あるいは遷移可能な稼動条件を用いて生産計画を作成する作成手段と、前記作成手段によって作成した生産計画を前記クライアント端末に送信する生産計画作成装置送信手段と、を備えたことを特徴とする。
【手続補正４】
【補正対象書類名】明細書
【補正対象項目名】００１４
【補正方法】変更
【補正の内容】
【００１４】
上記目的を達成するための第３の発明は、多段階工程における生産計画を作成する生産計画作成装置の制御方法であって、前記生産計画作成装置は、前記多段階工程の各工程において生産される生産品、前記生産品を生産する工程設備、及び前記生産品を生産するための工程設備における稼動条件に関する生産情報を記憶する生産情報記憶ステップと、前記生産情報記憶ステップで記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼動条件を用いて生産計画を作成する作成ステップと、を実行することを特徴とする。
【手続補正５】
【補正対象書類名】明細書
【補正対象項目名】００１５
【補正方法】変更
【補正の内容】
【００１５】
上記目的を達成するための第４の発明は、クライアント端末と生産計画作成装置とが、ネットワークを介して接続された生産計画作成システムの制御方法であって、前記クライアント端末は、多段階工程における生産計画の作成指示を行うための指示ステップと、前記指示ステップによって指示した生産計画の作成指示を送信するクライアント端末送信ステップと、生産計画作成装置送信ステップによって送信された生産計画を受信するクライアント端末受信ステップと、前記クライアント端末受信ステップによって受信した生産計画を表示部へ表示する表示手段と、を実行し、前記生産計画作成装置は、前記クライアント端末送信ステップによって送信された生産計画の作成指示を受信する生産計画作成装置受信ステップと、生産計画作成装置受信ステップによって生産計画の作成指示を受信した後、前記多段階工程の各工程において生産される生産品、前記生産品を生産する工程設備、及び前記生産品を生産するための工程設備における稼動条件に関する生産情報を記憶する生産情報記憶ステップと、前記生産情報記憶ステップで記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼条件を用いて生産計画を作成する作成ステップと、を実行することを特徴とする。
【手続補正６】
【補正対象書類名】明細書
【補正対象項目名】００１６
【補正方法】変更
【補正の内容】
【００１６】
上記目的を達成するための第５の発明は、多段階工程における生産計画を作成する生産計画作成装置において読取実行可能なプログラムであって、前記生産計画作成装置を、前記多段階工程の各工程において生産される生産品、前記生産品を生産する工程設備、及び前記生産品を生産するための工程設備における稼動条件に関する生産情報を記憶する生産情報記憶手段と、前記生産情報記憶手段で記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼動条件を用いて生産計画を作成する作成手段と、して機能させることを特徴とする。
【手続補正７】
【補正対象書類名】明細書
【補正対象項目名】００１７
【補正方法】変更
【補正の内容】
【００１７】
上記目的を達成するための第６の発明は、クライアント端末と生産計画作成装置とが、ネットワークを介して接続された生産計画作成システムにおいて読取実行可能なプログラムであって、前記クライアント端末を、多段階工程における生産計画の作成指示を行うための指示手段と、前記指示手段によって指示した生産計画の作成指示を送信するクライアント端末送信手段と、生産計画作成装置送信手段によって送信された生産計画を受信するクライアント端末受信手段と、前記クライアント端末受信手段によって受信した生産計画を表示部へ表示する表示手段と、して機能させ、前記生産計画作成装置を、前記クライアント端末送信手段によって送信された生産計画の作成指示を受信する生産計画作成装置受信手段と、前記生産計画作成装置受信手段によって生産計画の作成指示を受信した後、前記多段階工程の各工程において生産される生産品、前記生産品を生産する工程設備、及び前記生産品を生産するための工程設備における稼動条件に関する生産情報を記憶する生産情報記憶手段と、前記生産情報記憶手段で記憶された生産情報の当該工程設備における生産品を生産する前後の稼動条件に従って、当該生産品を生産するための工程設備における、生産品を生産するための工程設備における稼動条件及び前記稼動条件から遷移可能な稼動条件を記憶する稼動条件記憶手段に記憶された稼動条件あるいは遷移可能な稼動条件を用いて生産計画を作成する作成手段と、前記作成手段によって作成した生産計画を前記クライアント端末に送信する生産計画作成装置送信手段と、して機能させることを特徴とする。
【手続補正８】
【補正対象書類名】明細書
【補正対象項目名】００３８
【補正方法】変更
【補正の内容】
【００３８】
以下、図４、図５を用い、工程設備特有の稼動条件の例について説明する。
【手続補正９】
【補正対象書類名】明細書
【補正対象項目名】００８８
【補正方法】変更
【補正の内容】
【００８８】
つまり、本ステップでは、稼動条件を変更することで、対象製品の生産可能か否かの判
定を行っている。
【手続補正１０】
【補正対象書類名】明細書
【補正対象項目名】０１４５
【補正方法】変更
【補正の内容】
【０１４５】
また、コンピュータが読み出したプログラムを実行することにより、前述した実施形態の機能が実現されるだけでなく、そのプログラムの指示に基づき、コンピュータで稼動しているＯＳ等が実際の処理の一部または全部を行い、その処理によって前述した実施形態の機能が実現される場合も含まれることは言うまでもない。